(57)【特許請求の範囲】
【請求項１】
屋根にパネルを取り付けるための受金具構造であって、
葺かれた瓦の山部及びその下の野地板を貫通させて形成した貫通孔と、
前記貫通孔に挿通させられる、一端にネジが形成され、他端に抜け止め手段が設けられた支持ボルトと、
前記支持ボルトと前記瓦の貫通孔との間に該支持ボルトに遊嵌して挿通させられ、且つ前記野地板の上に係止させられる筒状部材と、
前記支持ボルトのネジに螺合させられ、前記抜け止め手段との間で少なくとも前記野地板と前記筒状部材を挟持する締結部材と
を含むパネルの受金具構造。
【請求項２】
前記筒状部材と、前記野地板との間に、前記瓦の流れ方向を長手にして帯板状座金が配されたことを特徴とする請求項１に記載のパネルの受金具構造。
【請求項３】
屋根にパネルを取り付けるための受金具構造であって、
野地板の上に敷設された支持板と、
葺かれた瓦の山部、前記支持板及びその下の野地板を貫通させて形成した貫通孔と、
前記貫通孔に挿通させられる、一端にネジが形成され、他端に抜け止め手段が設けられた支持ボルトと、
前記支持ボルトのネジに螺合させられ、前記抜け止め手段との間で少なくとも前記支持板と前記野地板を挟持する締結部材と
を含み、
前記抜け止め手段が、前記支持ボルトの下端部に自身の略中央部又は中央部から偏った位置で該支持ボルトに回動自在に軸着した長板を含んで構成されるパネルの受金具構造。
【請求項４】
屋根にパネルを取り付けるための受金具構造であって、
野地板の上に敷設された支持板と、
葺かれた瓦の山部、前記支持板及びその下の野地板を貫通させて形成した貫通孔と、
前記貫通孔に挿通させられる、一端にネジが形成され、他端に抜け止め手段が設けられた支持ボルトと、
前記支持ボルトのネジに螺合させられ、前記抜け止め手段との間で少なくとも前記支持板と前記野地板を挟持する締結部材と
を含み、
前記抜け止め手段が、屋根裏の垂木の間に架橋して前記支持ボルトの下端部に螺着している長尺杆であり、該長尺杆が該下端部に螺合するネジ孔を有することを特徴とする請求項１乃至３のいずれかに記載のパネルの受金具構造。
【請求項５】
屋根にパネルを取り付けるための受金具構造であって、
野地板の上に敷設された支持板と、
葺かれた瓦の山部及びその下の野地板を貫通させて形成した貫通孔と、
前記貫通孔に挿通させられる、一端にネジが形成され、他端に抜け止め手段が設けられた支持ボルトと、
前記支持ボルトのネジに螺合させられ、前記抜け止め手段との間で少なくとも前記野地板を挟持する締結部材と
を含み、
前記抜け止め手段が、屋根裏の垂木の間に架橋して前記支持ボルトの下端部に螺着している長尺杆であり、
前記長尺杆が、少なくとも一端部に前記垂木に食い込む又は前記垂木に突き刺さる回り止め突起を有することを特徴とするパネルの受金具構造。
【請求項６】
前記回り止め突起が、前記長尺杆の角部が折り曲げられて成ることを特徴とする請求項５に記載のパネルの受金具構造。
【請求項７】
前記長尺杆が、前記支持ボルトの下端部と選択的に螺合するための複数個のネジ孔を有することを特徴とする請求項４乃至６のいずれかに記載のパネルの受金具構造。
【請求項８】
前記ネジ孔が、上部に、上にゆくほど広がる開口部を備えることを特徴とする請求項４又は７に記載のパネルの受金具構造。
【請求項９】
屋根にパネルを取り付けるための受金具構造であって、
葺かれた瓦の山部を貫通させて形成した貫通孔と、
前記貫通孔に挿通させられる、下端に固定具が設けられた支持ボルトと
を含み、前記固定具が前記瓦と野地板の間に敷設され且つ該野地板に固定され、
該固定具が、
前記支持ボルトの下端部に螺着させられた受け部材、を備えるベース板と、
該受け部材を跨いで前記ベース板に固定され、前記支持ボルトを挿通させる開口を該受け部材の上方に有する台座と、
前記支持ボルトのネジに螺合させられ、前記ベース板との間で少なくとも前記台座を挟持する締結子と
を含むことを特徴とするパネルの受金具構造。
【請求項１０】
屋根にパネルを取り付けるための受金具構造であって、
葺かれた瓦の山部を跨いで、両端の谷部を該瓦の谷部の上に載置するように搭載され、山部より前記瓦を貫通することなく支持ボルトを立設させた山形板と、
前記瓦の山部及びその上の前記山形板を貫通させて形成した一対の挿通孔と、
前記一対の挿通孔に１端部をそれぞれ挿通させ、他端部を前記瓦を載せた梁にそれぞれ掛合させた一対の鉤ボルトと、
前記鉤ボルトのネジに螺合させられ、前記梁との間で少なくとも前記山形板と前記瓦を挟持する締結用部材と
を含むことを特徴とするパネルの受金具構造。
【発明の詳細な説明】
【０００１】
【発明の属する技術分野】
本発明は太陽電池パネル、看板、温水器のパネル等の屋外設置用パネルを瓦屋根に搭載するための受金具構造に関するもので、特に、和風瓦、Ｓ型瓦のような波型凹凸の形成される屋根材を使用した屋根面においても屋外設置用パネルを簡単に取り付けることの出来る、パネルの受金具構造に関するものである。
【０００２】
【従来の技術】
従来、太陽電池パネル、看板、温水器のパネル等の屋外設置用パネルを屋根面に取り付けることは、凹凸の少ない屋根面に対しては比較的簡単に行われてきたが、和風瓦、Ｓ型瓦を使用した屋根面に取り付けることは、波型凹凸が形成されているので極めて難しい工法を必要としていた。即ち、パネルを屋根の躯体に取り付けるには、瓦に大きな荷重をかけることが出来ず、屋根面を貫通して取り付け部材を設置する必要があり、このとき屋根の凹凸が邪魔して、取り付け部材の設置や固定がしにくく、瓦を一部除去したり、破損したりして雨漏りの問題が発生したり、取り付け部材を取り付ける屋根の部分の強度に問題が出たりしやすかった。又、瓦の凹凸にあわせ取り付け部材を製作しても、瓦の形は家により異なる場合が多く、このことも取り付け部材を屋根に設置するうえでの障害となっている。又、それを避けて例えば屋根の端から導いた針金でパネルの四方を張る構造にした場合などは、そのような構造に強度上あるいは美観上の問題が発生しやすかった。このため、多様な屋根構造に対応してパネルを瓦屋根の躯体に確実に取り付ける技術が望まれている。
【０００３】
この工法に関して、既に本発明の発明者は、実登第３０１８３９５号にパネルの荷重を受けるボルトを野地板に固定するソーラー器の受金具構造を提案している。
【０００４】
この考案に係る受金具構造は、屋根瓦の山部に貫通孔をあけ、パネルの荷重に対してはその位置でボルトを野地板に固定することにより、又浮力に対してはボルトを垂木間に架けた長尺杆に固定することにより、それぞれに抗力をもたせ、かつ屋根上に突出しているボルトの上部であって瓦と離れた位置に受けナットを取り付け、この受けナットによってパネルをサポートする構造となっており、波状凹凸のある瓦製の屋根面にも屋外設置用パネルを安定かつ簡単に取り付けることができ、しかも屋根の強度や雨漏りにも問題を発生しないものであるが、この構造は、野地板に直接大きな力がかかるので、野地板が薄かったり、老朽化したりして大きな力に耐えない場合には使用出来ないことがある。
【０００５】
又、野地板の裏側に固定用の長尺杆を配置したり、野地板の裏側でナット締め等の作業をする余地がない場合には使用出来ない。又、隣接の瓦を一時剥がさないと取り付け作業ができず、この瓦の取り外しと、復元に手間と熟練を要した。更に、波状スレートタイプの軽量瓦のような従来の瓦より数倍の面積の瓦に対しては、作業位置まで手が入らない場合が生じ、この構造が使用できない。
【０００６】
【発明が解決しようとする課題】
本発明は、これら問題点を解決し、波型凹凸のある瓦製の屋根面に、太陽電池パネル、看板、温水器のパネル等の屋外設置用パネルを安定に且つ極めて簡単に取り付けることができ、しかも屋根の強度や雨漏りに問題を生ぜず、且つ多様な屋根構造に対応して取り付けが可能なパネルの受金具構造を提供しようとする。
【０００７】
【課題を解決するための手段】
本発明の要旨とするところは、屋根にパネルを取り付けるための受金具構造であって、
葺かれた瓦の山部及びその下の野地板を貫通させて形成した貫通孔と、
前記貫通孔に挿通させられる、一端にネジが形成され、他端に抜け止め手段が設けられた支持ボルトと、
前記支持ボルトと前記瓦の貫通孔との間に挿通させられ、且つ前記野地板の上に係止させられる筒状部材と、
前記支持ボルトのネジに螺合させられ、前記抜け止め手段との間で少なくとも前記野地板と前記筒状部材を挟持する締結部材と
を含むパネルの受金具構造であることにある。
【０００８】
本発明の受金具構造は、前記筒状部材と、前記野地板との間に、前記瓦の流れ方向を長手にして帯板状座金が配され得る。
【０００９】
又、本発明の要旨とするところは、屋根にパネルを取り付けるための受金具構造であって、
野地板の上に敷設された支持板と、
葺かれた瓦の山部、前記支持板及びその下の野地板を貫通させて形成した貫通孔と、
前記貫通孔に挿通させられる、一端にネジが形成され、他端に抜け止め手段が設けられた支持ボルトと、
前記支持ボルトのネジに螺合させられ、前記抜け止め手段との間で少なくとも前記支持板と前記野地板を挟持する締結部材と
を含むパネルの受金具構造であることにある。
【００１０】
前記抜け止め手段は、屋根裏の垂木の間に架橋して前記支持ボルトの下端部に螺着している長尺杆であり得る。
【００１１】
又、本発明の要旨とするところは、屋根にパネルを取り付けるための受金具構造であって、
野地板の上に敷設された支持板と、
葺かれた瓦の山部及びその下の野地板を貫通させて形成した貫通孔と、
前記貫通孔に挿通させられる、一端にネジが形成され、他端に抜け止め手段が設けられた支持ボルトと、
前記支持ボルトのネジに螺合させられ、前記抜け止め手段との間で少なくとも前記野地板を挟持する締結部材と
を含み、
前記抜け止め手段が、屋根裏の垂木の間に架橋して前記支持ボルトの下端部に螺着している長尺杆であり、
前記長尺杆が、前記締結部材が締結されるときに生ずる前記長尺杆の回転を、前記垂木に係合又は当接して阻害する回り止め突起を、少なくとも一端部に有することを特徴とするパネルの受金具構造であることにある。
【００１２】
前記回り止め突起は、前記長尺杆の角部が折り曲げられて成り得る。
前記長尺杆は、前記支持ボルトの下端部を選択的に螺合するための複数個のネジ孔を有し得る。
前記ネジ孔は、上部に、上にゆくほど広がる開口部を備え得る。
【００１３】
更に、本発明の要旨とするところは、屋根にパネルを取り付けるための受金具構造であって、
葺かれた瓦の山部を貫通させて形成した貫通孔と、
前記貫通孔に挿通させられる、下端に固定具が設けられた支持ボルトと
を含み、前記固定具が前記瓦と野地板の間に敷設され且つ該野地板に固定されたことを特徴とするパネルの受金具構造であることにある。
【００１４】
前記固定具は、
前記支持ボルトの下端部に螺着させられた受け部材、を備えるベース板と、
該受け部材を跨いで前記ベース板に固定され、前記支持ボルトを挿通させる開口を該受け部材の上方に有する台座と、
前記支持ボルトのネジに螺合させられ、前記ベース板との間で少なくとも前記台座を挟持する締結子と
を含み得る。
【００１５】
又、本発明の要旨とするところは、屋根にパネルを取り付けるための受金具構造であって、
葺かれた瓦の山部を跨いで、両端の谷部を該瓦の谷部の上に載置するように搭載され、山部より支持ボルトを立設させた山形板と、
前記瓦の山部及びその上の前記山形板を貫通させて形成した一対の挿通孔と、前記一対の挿通孔に１端部をそれぞれ挿通させ、他端部を前記瓦を載せた梁にそれぞれ掛合させた一対の鉤ボルトと、
前記鉤ボルトのネジに螺合させられ、前記梁との間で少なくとも前記山形板と前記瓦を挟持する締結用部材と
を含むパネルの受金具構造であることにある。
【００１６】
【発明の実施の形態】
本発明に係るパネルの受金具構造の態様を図面に基づいて詳しく説明する。図１はパネルの受金具構造８の横断面略図である。図１において受金具構造８は、ルーフィング２が敷設された野地板３を貫通する支持ボルト４と、筒状部材２２と、支持ボルト４の抜け止め手段１１を構成する長尺杆７と、を主体に構成されている。瓦（軽量波状瓦）１は野地板３の上に配されている。瓦１は山部２９に貫通孔６があけられている。又、その貫通孔６の直下の位置で、野地板３にも貫通孔１５があけられている。支持ボルト４は、貫通孔６と貫通孔１５を挿通し、野地板３を支える垂木９、９ａ間に架橋した長尺杆７のネジ孔１６に螺入されて固定されている。長尺杆７にはネジ孔１６が複数個設けられていて、支持ボルト４と垂木９、９ａとの相対位置により、いずれかのネジ孔を選択して長尺杆７が垂木９、９ａ間に架橋するような配置にすることが出来る。
【００１７】
又一方、支持ボルト４は筒状部材２２に挿通させられている。筒状部材２２は野地板３の上に貫通孔１５の位置で配された帯板状座金２０と、筒状部材２２の上に配された座金２４の間に位置し、支持ボルト４のネジに螺合させられた締結部材２６により締め付けられる。このような構成により、支持ボルト４にかかる下向きの荷重は、筒状部材２２を介して野地板３と垂木９、９ａが受け止め、支持ボルト４にかかる上向きの荷重は、長尺杆７を介して垂木９、９ａが受け止める。筒状部材２２と瓦１とは貫通孔６により隔てられているので瓦１には力がかからない。瓦１と筒状部材２２との間の隙間１７には雨水の侵入を防止するためコーキング剤が充填されるのが好ましい。支持ボルト４の上部にはパネル固定用の梁部材１４が取り付けられる。梁部材１４は支持ボルト４に配された締めナット２７と受けナット５により締結される。なお、野地板３と長尺杆７との間に垂木９、９ａが介在せず、野地板３が直接長尺杆７に当接している構成であってもよい。
【００１８】
又、帯板状座金２０は図面と略垂直の方向（瓦１の流れ方向）に長い帯状の形状をなしており、大きなサイズの軽量波状瓦をはがすことなく、屋根の最上部の冠を外して、瓦の流れ方向に棟から下方へと、瓦の山部の下の空間に沿って挿入することが出来る。
【００１９】
本発明のこのような受金具構造８を屋根上に組み立てるには、まず、瓦１と野地板３とを貫通する貫通孔６、１５を瓦１の上からドリル等を用いてあける。次いで、屋根の最上部の冠をはがして棟部の、瓦と野地板３との隙間から帯板状座金２０を挿入し、帯板状座金２０の孔が貫通孔１５の上方にくるように帯板状座金２０の位置を決める。次に筒状部材２２を瓦１の上から貫通孔６に挿入し、帯板状座金２０の上に立たせて載置する。次に支持ボルト４を上から筒状部材２２の中空部に挿入し、帯板状座金２０の孔と野地板３の貫通孔１５を貫通させて野地板３の裏側に下端部を突出させる。野地板３の裏側にいる人が長尺杆７を垂木９、９ａの間に架け渡し、突出した支持ボルト４の下端部を長尺杆７のネジ孔１６に螺入する。あるいは可能であれば野地板３の裏側に手を入れて突出した支持ボルト４の下端部を長尺杆７のネジ孔１６に螺入する。支持ボルト４の下端部は一部ネジ孔１６に螺入されれば、あとは屋根の上から支持ボルト４を回して充分に下端部をネジ孔１６に螺入することが出来る。次いで、支持ボルト４に螺合しているナット等の締結部材２６を座金２４を介して筒状部材２２の上から締めて筒状部材２２を締結部材２６と野地板３の間に挟持させ固定させる。即ち、抜け止め手段１１を構成する長尺杆７と締結部材２６の間で野地板３と筒状部材２２が挟持される。
【００２０】
本発明のこのような受金具構造８においては、支持ボルト４を屋根に固定するための締結部材２６の締め付け作業を屋根の外側で行うので、この締め付け作業の際、野地板３の裏側に手を入れたままである必要がなく、支持ボルト４の固定作業が容易である。
【００２１】
又、本発明の受金具構造８においては、図２（ａ）に示すように、断面Ｌ字型の長尺杆７の両端部の角部が折り曲げられ、回り止め突起１９が形成されている。支持ボルト４をネジ孔１６に螺入するとき、あるいは締結部材２６を締めるとき、回り止め突起１９が垂木９、９ａに当たったり喰い込んだりして、長尺杆７の回転を防止する。図２（ｂ）は図２（ａ）のＡ−Ａ´方向の断面図であり、長尺杆７のネジ孔１６の上部開口部は先開きの勾配３９が付いている。このため、支持ボルト４をネジ孔１６に螺入するとき、支持ボルト４が偏芯して上から挿入されてもこの勾配３９によりガイドされて所定の挿入位置に収まりやすい。このような勾配３９は、長尺杆７を構成する鉄板５９を打ち抜いて穿孔し、その打ち抜き孔にネジ６９を切ることにより形成される。
【００２２】
本発明のパネルの受金具構造の他の態様を図３に示す。図３の横断面略図においては、受金具構造８ａは、ルーフィング２を敷設した野地板３を貫通する支持ボルト４と、支持板５０と長尺杆７とを主体に構成されている。瓦１ａは野地板３の上に設けられた瓦桟１３を抱えて配されている。瓦１ａは山部２９の頂点部に貫通孔６があけられている。又、その貫通孔６の直下の位置で、野地板３にも貫通孔１５があけられている。支持ボルト４は、貫通孔６と貫通孔１５を挿通し、野地板３を支える垂木９、９ａ間に架橋した長尺杆７のネジ孔１６に螺入されて固定されている。一方、支持板５０は貫通孔５４を有し、支持ボルト４が貫通孔５４を挿通している。支持板５０は野地板３の上に敷設され、支持ボルト４のネジに螺合させられた締結部材２６により、座金５２を介して締め付けられる。このような構成により、支持ボルト４にかかる下向きの荷重は、支持板５０とそれを支持板５０の広い面積で受ける野地板３を介して垂木９、９ａが受け止め、支持ボルト４にかかる上向きの荷重は、長尺杆７を介して垂木９、９ａが受け止める。支持ボルト４と瓦１ａは貫通孔６により隔てられているので、瓦１ａには力がかからない。支持板５０の面積は１０ｃｍ×１０ｃｍ以上であることが野地板３への力を分散させるうえで好ましい。支持板５０が２本の垂木９、９ａに渡る幅を有することが更に好ましい。
【００２３】
瓦１ａと支持ボルト４との間の隙間には雨水の侵入を防止するためコーキング剤が充填されることが好ましい。支持ボルト４の上部にはパネル固定用の梁部材１４が取り付けられる。梁部材１４は支持ボルト４に配された締めナット２７と受けナット５により締結される。符号３８は締結部材２６をカバーするゴム製のキャップである。
【００２４】
本発明のこのような受金具構造８ａを屋根上に組み立てるには、まず、組み立てる位置の瓦１ａの隣の下方の瓦を剥がす。そして瓦１ａと野地板３とを貫通する貫通孔６、１５を瓦１ａの上からドリル等を用いてあける。次いで、瓦１ａの下方の端部の、瓦１ａと野地板３との隙間から支持板５０を挿入し、支持板５０の貫通孔５４が貫通孔１５の上方にくるように支持板５０の位置を決める。次に支持ボルト４を上から貫通孔６を貫いて挿入し、野地板３の上に載置された支持板５０と瓦１ａとの間の空間に下端部を突出させ、その空間に手を入れて、支持ボルト４の下端部から締結部材２６を支持ボルト４に螺合し、座金５２を支持ボルト４にはめる。次いで支持ボルト４の下端部を貫通孔５４、１５を貫いて挿入し、野地板３の裏側に下端部を突出させる。野地板３の裏側にいる人が長尺杆７を垂木９、９ａの間に架け渡し、突出した支持ボルト４の下端部を長尺杆７のネジ孔１６に螺入する。あるいは可能であれば野地板３の裏側に手を入れて突出した支持ボルト４の下端部を長尺杆７のネジ孔１６に螺入する。支持ボルト４の下端部は一部ネジ孔１６に螺入されれば、あとは屋根の上から支持ボルト４を回して充分に下端部をネジ孔１６に螺入することが出来る。次いで、支持ボルト４に螺合しているナット等の締結部材２６を座金５２を介して支持板５０の上から締めて支持板５０を締結部材２６と野地板３の間に挟持させ固定させる。即ち、抜け止め手段１１を構成する長尺杆７と締結部材２６の間で野地板３と支持板５０が挟持される。
【００２５】
本発明のこのような受金具構造８ａにおいては、支持ボルト４を屋根に固定するための締結部材２６の締め付け作業を屋根の外側にいて瓦１ａと支持板５０の間の空間に手をいれて行う。締め付け作業の際、野地板３の裏側に手を入れたままである必要がなく、支持ボルト４の固定作業が容易である。
【００２６】
図４は本発明の更に他の態様である。図４の横断面略図においては、受金具構造８ｄは、ルーフィング２を敷設した野地板３を貫通する支持ボルト４と、長尺杆７とを主体に構成されている。瓦１ａは野地板３の上に設けられた瓦桟１３を抱えて配されている。瓦１ａは山部２９の頂点部に貫通孔６があけられている。又、その貫通孔６の直下の位置で、野地板３にも貫通孔１５があけられている。支持ボルト４は、貫通孔６と貫通孔１５を挿通し、野地板３を支える垂木９、９ａ間に架橋した長尺杆７のネジ孔１６に螺入されて固定されている。野地板３は、支持ボルト４のネジに螺合させられた締結部材２６により、座金５２を介して締め付けられる。このような構成により、支持ボルト４にかかる下向きの荷重は、野地板３を介して垂木９、９ａが受け止め、支持ボルト４にかかる上向きの荷重は、長尺杆７を介して垂木９、９ａが受け止める。支持ボルト４と瓦１ａは貫通孔６により隔てられているので、瓦１ａには力がかからない。
【００２７】
瓦１ａと支持ボルト４との間の隙間には雨水の侵入を防止するためコーキング剤が充填されることが好ましい。支持ボルト４の上部にはパネル固定用の梁部材１４が取り付けられる。梁部材１４は支持ボルト４に配された締めナット２７と受けナット５により締結される。符号３８は締結部材２６をカバーするゴム製のキャップである。
【００２８】
又、本発明の受金具構造８ｄにおいても、図２（ａ）に示すような構造の長尺杆７が用いられる。図２（ａ）に示すように、断面Ｌ字型の長尺杆７の両端部の角部が折り曲げられ、回り止め突起１９が形成されている。支持ボルト４をネジ孔１６に螺入するとき、あるいは締結部材２６を締めるとき、回り止め突起１９が垂木９、９ａに当たって長尺杆７の回転を防止する。あるいは、回り止め突起１９が垂木９、９ａに喰い込んで長尺杆７の回転を防止する。予め回り止め突起１９を垂木９、９ａに喰い込ませておいてもよい。このような構成により、一旦長尺杆７のネジ孔１６に支持ボルト４が螺入されれば、締結部材２６を締めるとき長尺杆７が空回転しないので、屋根の上側で締結部材２６を締める作業を楽に行うことができ、作業の能率が上がる。
【００２９】
回り止め突起１９の形状は回り止め効果があれば特に問わないが、図２（ａ）に示すように長尺杆の角部が上側に折り曲げられて成ることが好ましい。この構成は回り止め突起１９の形成加工を容易かつ確実に行うことが出来る。又、先端が尖っているので垂木９、９ａに突き刺さったり喰いこんだりして、垂木９、９ａと当接又は係合したときの回り止め効果が確実である。
【００３０】
図２（ｂ）は図２（ａ）のＡ−Ａ´方向の断面図であり、長尺杆７のネジ孔１６は上部に、上にゆくほど広がる開口部を備え、先開きの勾配３９が付いている。このため、支持ボルト４をネジ孔１６に螺入するとき、支持ボルト４が偏芯して上から挿入されてもこの勾配３９によりガイドされて所定の挿入位置に収まりやすく、作業の能率が上がる。
【００３１】
更に、図２（ａ）、（ｂ）に示すように支持ボルト４には２個のネジ孔１６が設けられている。垂木９、９ａと、瓦１ａに設けるべき貫通孔６との相対位置が一定ではないので、長尺杆７にネジ孔１６が１個しかないと、場合によっては垂木９、９ａに長尺杆７を架け渡す配置をとれないことがある。２個のネジ孔１６のうちのひとつを選択することにより、垂木９、９ａと、瓦１ａに設けるべき貫通孔６との相対位置が異なっても垂木９、９ａに長尺杆７を架け渡す配置をとることが可能となる。長尺杆７に設けるネジ孔１６の数は３個以上であってもよい。
【００３２】
図１、図３、図４に示すような本発明の態様においては、図５に示す態様の抜け止め手段を用いることが出来る。図５において、抜け止め手段１１ｃは、回動自在な長板１９２から成る。支持ボルト４ｃの下端部に縦にスリット１９４が設けられ、長板１９２の少なくとも上半分がスリット１９４に縦に挿入された状態で、長板１９２の略中央部あるいは中央部から若干偏った位置でロッド１９６を介して支持ボルト４ｃの下端部に軸着されている。この状態で支持ボルト４ｃを下方に押し下げ、抜け止め手段１１ｃを野地板の孔に挿通し、挿通後に長板１９２はその位置が横（図５のＰの位置からHの位置に）なることにより支持ボルト４ｃの抜け止めとなる。
【００３３】
本発明の他の態様の受金具構造を図６に示す。図６の受金具構造８ｂは、支持ボルト４と支持ボルト４を固定する固定具４９とで構成される。固定具４９はベース板４０を主体に構成される。ベース板４０は上向きのネジ孔３５を有する受け部材３０を備え、又、ベース板４０には掛け橋型の台座３２が杢ネジで固定されている。図７（ａ）に受け部材３０の形状を示す。受け部材３０は杢ネジ用の孔４７を有し、中央に固定ナット３４が固着されている。図７（ｂ）に掛け橋型台座３２の形状を示す。掛け橋型台座３２は掛け橋形状をしており、杢ネジ用の孔４６を有し、中央に支持ボルト４を挿通する開口３６を有する。
【００３４】
図６において、受け部材３０は杢ネジ４３によってベース板４０に固定され、掛け橋型台座３２は受け部材３０を跨いで杢ネジ４１、４２によってベース板４０に固定されている。又、ベース板４０も杢ネジ４１、４２によってルーフィング２を敷設した野地板３に固定されている。別の杢ネジ等により、ベース板４０を野地板３に固定してもよい。ベース板４０の面積は１０ｃｍ×１０ｃｍ以上であることが野地板３への力を分散させるうえで好ましい。１５ｃｍ×３０ｃｍ以上であることが垂木９、９ａへの力も分散できて更に好ましい。
【００３５】
図６のこの態様においては、瓦１ａに貫通孔６をあけ、ベース板４０を野地板３に固定した後、支持ボルト４を貫通孔６及び開口３６を貫いて挿入しその下端部を固定ナット３４に螺入する。次いで支持ボルト４のネジに螺合させられた締結子１２６を締めると、支持ボルト４が固定される。
【００３６】
この受金具構造８ｂの態様は、野地板３の裏側での操作が全くないので、屋根の壁際や軒際等の端の位置で、図１や図３に示す態様の受金具構造の使用できない部位においての使用が可能である。
【００３７】
図８は、図６の受金具構造８ｂの、瓦の山の流れ方向に沿った断面略図である。ベース板４０が瓦桟１３、１３ａの間に配置される。
【００３８】
図９に、本発明の更に他の態様の受金具構造８ｃを示す。この態様は波状スレートタイプの瓦に対して用いられる。図９においては、波状スレート瓦６０が溝形鋼から成る梁８４上に取り付けられている。受金具構造８ｃは波状の山形板７２と、支持ボルト４と、鉤ボルト７４、７６とから構成されている。支持ボルト４は締結ナット１３６により山形板７２の山部２９の１の位置１２９に立設固定される。山形板７２は波状スレート瓦６０の山を跨いで、両端の谷部７５がそれぞれ波状スレート瓦６０の谷部８３に載置されるように配置され、鉤ボルト７４のフック９４と、鉤ボルト７６のフック９６とがそれぞれ一端部で梁８４に掛止され、他端が山形板７２の山部２９の他の位置１３０に固定されている。図１０の断面略図にこの固定の態様を示す。図１０（ａ）は鉤ボルト７４を縦に切る断面からみた断面略図であり、山形板７２は波状スレート瓦６０の山を跨いで、両端部がそれぞれ波状スレート瓦６０の谷に載置されるように配置されている。山形板７２は山部２９に挿通孔７３を有し、挿通孔７３の直下の位置で波状スレート瓦６０に挿通孔６２があけられている。鉤ボルト７４は挿通孔７３と挿通孔６２を貫いて挿通し、フック９４が梁８４に掛合されている。
【００３９】
この状態で鉤ボルト７４のネジに螺合させられた締結用部材１３２を座金８０を介して締結し、同様に、図９の配置の鉤ボルト７６についても、同様に締結用部材１３２を締結すると、山形板７２が梁８４に対して固定される。
【００４０】
図１０（ｂ）は支持ボルト４を縦に切る断面からみた断面略図であり、山形板７２の頂上部中央に孔７７が設けられており、孔７７と同軸の位置で山形板７２裏側に固定ナット９２が固着されている。支持ボルト４は固定ナット９２に螺入され、座金８０を介して締結ナット１３６により締結されて山形板７２の山部（頂上部）中央に固定される。この態様により、長尺、広幅の波状スレートタイプの瓦についてもパネル設置用の受金具を取り付けることが出来る。
【００４１】
本発明のパネルの受金具構造は、上記各実施態様を組み合わせて構成することが出来る。又、屋根の形態に応じて、上記各実施態様を組み合わせて使用することが出来る。
【００４２】
【発明の効果】
本発明に係るパネルの受金具構造は、波型凹凸のある瓦製の屋根面に、太陽電池パネル、看板、温水器のパネル等の屋外設置用パネルを安定に且つ極めて簡単に取り付けることができる。
【００４３】
本発明に係るパネルの受金具構造は、屋根の強度や雨漏りに問題を生ぜず、且つ多様な屋根構造に対応して取り付けが可能である。
【図面の簡単な説明】
【図１】本発明に係る受金具構造の横断面略図である。
【図２】本発明に係る受金具構造に用いる長尺杆の形状を示し、図２（ａ）は斜視説明図であり、図２（ｂ）は断面略図である。
【図３】本発明に係る他の態様の受金具構造の横断面略図である。
【図４】本発明に係る更に他の態様の受金具構造の横断面略図である。
【図５】本発明に係る受金具構造に用いられる抜け止め手段の他の態様を示す斜視説明図である。
【図６】本発明に係る又更に他の態様の受金具構造の横断面略図である。
【図７】図６の受金具構造に用いられる部材の形状を示す斜視説明図であり、図７（ａ）は受け部材の形状を示す。図７（ｂ）は掛け橋型台座の形状を示す。
【図８】図６の受金具構造の瓦の流れ方向に沿った断面略図である。
【図９】本発明に係る他の態様の受金具構造の斜視説明図である。
【図１０】図９の受金具構造の断面略図である。図１０（ａ）は鉤ボルトを縦に切る断面からみた断面略図であり、図１０（ｂ）は支持ボルトを縦に切る断面からみた断面略図である。
【符号の説明】
１，６０：瓦
２：ルーフィング
３：野地板
４，４ａ，４ｃ：支持ボルト
５：受けナット
６、１５，５４：貫通孔
７：長尺杆
８，８ａ，８ｂ，８ｃ，８ｄ：受金具構造
９，９ａ：垂木
１１，１１ａ，１１ｂ，１１ｃ：抜け止め手段
１９：回り止め突起
２０：帯板状座金
２２：筒状部材
２６：締結部材
２９：山部
３０：受け部材
３２：台座
３６：開口
４０：ベース板
４９：固定具
７２：山形板
６２，７３：挿通孔
７４，７６：鉤ボルト
７５，８３：谷部
８４：梁
９４，９６：フック
１２６：締結子
１３２：締結用部材
【図１】
0003729488.tif 000002
【図２】
0003729488.tif 000003
【図３】
0003729488.tif 000004
【図４】
0003729488.tif 000005
【図５】
0003729488.tif 000006
【図６】
0003729488.tif 000007
【図７】
0003729488.tif 000008
【図８】
0003729488.tif 000009
【図９】
0003729488.tif 000010
【図１０】
0003729488.tif 000011